(57)【要約】 【課題】  新築時に耐震用防御策としての筋交い、其の他の設備は施工し易いけれども、現在、住居中の家屋を改造し、耐震化するためには長期間煩雑な工事と高額費用がかかる問題点がある。特に、大地震に弱い開口部である窓や出入り口の補強を安価に提供する。【解決手段】  鋼鉄製、又は木製の筋交い（１）は７，５ｃｍ角以上の柱を使用し、角柱材の先端部を枠状構造の鴨居入り隅部に密着し、又、角柱材の下端部は敷居（６）上に密着さして、他の角柱材とＶ字形を形成して筋交い（１）としての効力を発揮しているが人、物の移動に対して簡単に着脱可能状態にしてある。【選択図】  図３
2009114807.tif 000002
【特許請求の範囲】
【請求項１】
既築木造建築物の開口部である窓や利用価値の少ない部屋出入り口の水平架構材と柱との入り隅部と敷居上に筋交い材を接合し、補強することに於いて、
前記、鋼鉄製、木製角柱筋交いの上端にある入り隅部、下端部が敷居上で互いに密着するように形成され、開口部の枠状構造材に対して着脱自在なる機構を備えるてなることを特徴とした鋼鉄製、木製筋交い。
【請求項２】
Ｌ字型板状金具の底辺部に複数以上の貫通孔を有し、枠状構造材に対して固定手段を有し、地震時に筋交いの前後左右横滑りを防ぐことを特徴とするＬ字型板状補強金具。
【請求項３】
長方形鋼鉄製平板をコの字型に形成し、Ｌ字型板状補強金具と筋交いに載置密着さし、筋交いの滑動を防ぐことを特徴とする請求項１、２記載のコの字型補強金具。
【発明の詳細な説明】
【技術分野】
【０００１】
本発明は開口部などの補強に用いられる筋交い、補強金具及び補強方法に関する。
【背景技術】
【０００２】
従来、耐震防御策として様々な筋交いが家屋の壁内部に形成され、補強金具類も設置されているが、開口部や窓用には人、物の出入りに不便なため筋交いが設置されている例が少ない。
【０００３】
【特許文献１】特開  ２００４−１９７３４０号公報
【発明の開示】
【発明が解決しようとする課題】
【０００４】
新築時に耐震用防御策としての筋交い、其の他の設備は施工し易いけれども、現在、住居中の家屋を改造し、耐震化するためには長期間煩雑な工事と高額費用がかかる問題点がある。特に、大地震に弱い開口部である窓や出入り口の補強を安価に提供する。
【課題を解決するための手段】
【０００５】
上記目的を達成するため、請求項１の発明の筋交い（１）は角材の先端部を枠状構造の鴨居と柱の入り隅部に密着するように形成し、又、角材の下端部は敷居上（６）に密着するように形成しているが人、物の移動に対して簡単に着脱自在であるように考案された。
【０００６】
請求項２の発明の木造建造物の補強金具であるＬ字型板状金具（１）の底辺部（７）には複数以上の貫通孔（１１）を有しており、屋内にある枠状構造物の柱（２）、敷居（６）に固定され、鋼鉄製又は、木製の筋交い（１）の横滑りを防ぐように工夫されている。  
【０００７】
請求項３の発明の木造建造物補強金具であるコの字型板状金具（９）は敷居（５）に固定されたるＬ字型板状金具（Ｌ）と筋交い（１）に被せて筋交い（１）の横ずれを防ぐため補強金具である。
【発明の効果】
【０００８】
人、物の出入りの少ない部屋の出入り口（１７）や窓（４）等は着脱自在な柱状筋交（１）を常時設置することにより、地震時に於ける開口部（１７）の弱点を克服する事が出来るし、Ｌ字型板状金具（Ｌ）、コの字型板状金具（９）、閂通し又は閂受け（１３）の3種類の補強金具と筋交い（１）と閂棒（１２）を用意すれば良いので工費も非常に安価である。
【発明を実施するための最良の形態】
【０００９】
図１はガラス窓（４）に大小2種類のＬ字型板状金具（Ｌ）を設置した正面図である。幅６ｃｍ高さ６ｃｍの補強金具は図４にある如く、Ｌ字型板状金具（Ｌ）の底辺部（７）にそれぞれ複数以上の貫通孔（１１）を有しており、ガラス窓部（４）上にある鴨居（５）両側入り隅部の柱（２）に平ネジ（１０）にて固定し、Ｌ字型板状金具（Ｌ）上辺部（８）はガラス窓（３）に平行して下方に垂直になるように設置されている。又、幅１２ｃｍ高さ６ｃｍのＬ字型板状補強金具（Ｌ）は窓枠の敷居（６）長さの中心部にガラス窓（３）を背にして底辺部貫通孔（１１）を通じて平ネジ（１０）にて固定されている。
【００１０】
図２は上記、ガラス窓部（４）に筋交い（１）が配置された状態の正面図である。図10、１１にある鋼鉄製、又は木製の筋交い（１）は７，５ｃｍ角以上の柱を使用し、角柱材の先端部を枠状構造の鴨居（５）入り隅部に密着し、又、角柱材の下端部は敷居（６）上に密着さして、他の角柱材とＶ字形を形成して筋交い（１）としての効力を発揮しているが人、物の移動に対して簡単に着脱可能状態にしてある。筋交い（１）は大小2種類のＬ字型板状金具（Ｌ）に対し、沿う様に唯置かれただけである。
【００１１】
図３は閂（１２）と半回転したコの字型板状金具（９）をガラス窓敷居（６）上に設置した正面図である。ガラス窓部（４）に平行に沿う様に唯斜めに置かれただけである敷居（６）上の筋交い（１）は大地震時には横ずれし、ガラス窓（３）を破損さし、転落する恐れがある。そこでそれを防ぐために敷居（６）上に固定されたるＬ字型板状金具（Ｌ）と２本の筋交い（１）の接点に対し、上側より半回転したコの字型板状金具（９）を被せ、筋交い（１）の安定を図った。図８は其の詳細図である。又、閂（１２）は枠状構造の両側にある柱（２）に閂受け（１３）、或いは閂通し（１３）を設置し、筋交い（１）上端部の横ずれ脱落も防ぐ事が出来、窓から侵入する泥棒除けにもなる利点がある。
【００１２】
図４はＬ字型板状金具（Ｌ）の正面図である。
Ｌ字型板状金具（Ｌ）は大小２種類ある。小の幅６ｃｍ高さ６ｃｍ厚さ３ｍｍのＬ字型板状金具（Ｌ）はＬ字型底辺部（７）貫通孔（１１）を通じて平ネジ（１０）にて柱（２）に固定されるが筋交い（１）の大小に合わせて高さ、幅、厚さを変える必要がある。又、２ｃｍの平ネジ（１０）も変える必要が有るが圧力の掛からない場所なのであまり考慮しなくても良い。大の幅１２ｃｍ高さ６ｃｍ厚さ３ｍｍのＬ字型板状金具（Ｌ）は小と同じく底辺部貫通孔（１１）を通じて平ネジ（１０）にて敷居（６）に固定される
【００１３】
図５はＬ字型板状金具（Ｌ）の側面図である。もし、閂（１２）を設置しないときには筋交い（１）上端部に於ける横ずれ脱落防止のためにＬ字型板状金具（Ｌ）を枠状構造の鴨居（５）入り隅部に設置し固定しても良い。
【００１４】
図６は半回転したコの字型板状金具（９）の斜面図である。コの字型板状金具（９）の板の厚さは約３ｍｍ有しているがそれ以上の厚さが望ましい。２本の角柱材がＶ字形を形成して筋交い（１）の役目を有す接点にはＬ字型板状金具（Ｌ）も図８にある如く並立しているので半回転さしたコの字型板状金具（９）を筋交い（１）とＬ字型板状金具（Ｌ）の直立（７）部分にかぶせるようにして地震時に筋交い（１）の横移動や跳ね上がり防止に努めている。
【００１５】
図７は半回転したコの字型板状金具（９）の側面図である。幅７ｃｍ高さ９ｃｍ奥行き８ｃｍ厚さ３ｍｍのコの字型板状金具（９）は２本の平行した板状金具の一方が１，２ｃｍ短くても地震時に於ける筋交い（１）の横移動や跳ね上がり防止にはなんら影響はない。
【００１６】
図８は図３にある破線のＡ―Ａ線に於ける断面図である。コの字型板状金具（９）に挟まれた筋交い（１）とＬ字型板状金具（Ｌ）の間には着脱作業のために３ｍｍ以上の余裕が望ましい。又、コの字型板状金具（９）とガラス窓（３）との間隙はガラス窓部（４）開閉のため２，３ｃｍ以上は空ける必要がある。
【００１７】
図９は室内の出入り口（１７）に設けられた筋交い（１）に閂（１２）を設置した状態の正面図である。倉庫代わりに使用され、月に２，３度しか用事の無い部屋の出入り口（１７）に設けられた筋交い（１）であるが、この筋交い（１）の上下端に固定されたＬ字型板状金具（Ｌ）と着脱可能状態の閂（１２）を設置した。
【００１８】
図１０は筋交い（１）の平面図である。筋交い（１）の上端は鴨居（５）と柱（２）の入り隅部に合致するように製作する必要が有るし、下端も敷居（６）と柱（２）の入り隅部に合致させねばならない。Ｖ字形を敷居（６）上に形成する筋交い（１）も互いに合致するように製作する必要がある。
【００１９】
図１１は筋交い（１）の斜面図である。縦７，５ｃｍ横７，５ｃｍ長さ１９０ｃｍ重サ８Ｋｇの角材が筋交い（１）として図１２の開口部、即ち、部屋の出入り口（１７）に使用されている。先ず、角材の幅の中心線をだし、線引きし、枠状構造の鴨居（５）入り隅部に密着するように角度を測る。同じく、角材下端側も敷居（６）入り隅部に密着なるように角度を測り、角材の両先端部を角度に沿って切り落とし、筋交い（１）を完成さす。さて、材木の欠点として木が乾燥するに従って縦割れする恐れが生じるが、布、テープ、針金などを厳重に巻けば、長期間の使用にも耐える事が出来る。
【００２０】
図１２は室内の出入り口（１７）に筋交い（１）を差込んだ状態の正面図であるが開口部（１７）鴨居（５）に設置されたＬ字型板状金具（Ｌ）は筋交い（１）の向かい側にあり、敷居（６）上に設置されたＬ字型板状金具（Ｌ）は筋交い（１）のこちら側にある。開口部（１７）のこちら側に重量物があり、筋交い（１）の差込み設置が不可能な場合、このような設置方法が有る事をこの図は示している。
【００２１】
図１３は図１２の側面図である。柱（２）左側面には留め金（１５）より外された状態の差し金（１４）が柱（２）に係留されている。又、柱（２）右側面の差し金（１４）は柱（２）の上側に持ち上げられ係留されているが柱（２）の下方側にある穴（１６）は差し金（１４）が下された場合、差し金（１４）の先端部が室内の床にある穴（１６）に挿入され、筋交い（１）の横滑りを防ぐようになっている。
【００２２】
図１４は室内の出入り口（１７）上下に差し金（１４）を差込んだ状態の正面図であるが差し金（１４）を鉄パイプ、鉄棒など横からの圧力に強い丈夫な物質に変えても良い。開口部（１７）鴨居（５）の向こう側に設置されたＬ字型板状金具（Ｌ）と柱（２）のこちら側にセットされた差し金（１４）の間に筋交い（１）が入る空間があり、下側の敷居（６）上のこちら側に設置されたＬ字型板状金具（Ｌ）と出入り口（１７）の向こう側に設置された差し金（１４）の間に筋交い（１）が入る空間がある。開口部（１７）のこちら側に重量物（図略）があり、筋交い（１）の差込みが不可能な場合の図１５も同様にＬ字型板状金具（Ｌ）、差し金（１４）の設置場所を示している。
【図面の簡単な説明】
【００２３】
【図１】ガラス窓に大小2種類のＬ字型板状金具を設置した正面図である。
【図２】ガラス窓に筋交いが配置された状態の正面図である。
【図３】閂とコの字型板状金具をガラス窓敷居上に設置した正面図である。
【図４】Ｌ字型板状金具の斜面図である。
【図５】Ｌ字型板状金具の側面図である。
【図６】半回転したコの字型板状金具の斜面図である。
【図７】半回転したコの字型板状金具の側面図である。
【図８】図３にある破線のＡ―Ａ線に於ける断面図である。
【図９】室内の出入り口に設けられた筋交いに閂を設置した状態の正面図である。
【図１０】筋交いの平面図である。
【図１１】筋交いの斜面図である。
【図１２】室内の出入り口に筋交いを差込んだ状態の正面図である。
【図１３】図１２の側面図である。
【図１４】室内の出入り口上下に差し金を差込んだ状態の正面図である。
【図１５】図１４の側面図である。
【符号の説明】
【００２４】
１  鋼鉄製又は木製筋交い
２  柱
３  ガラス窓
４  ガラス窓戸
５  ガラス窓鴨居、室内の出入り口鴨居
６  ガラス窓敷居、室内の出入り口敷居
Ｌ  Ｌ字型板状金具
７  Ｌ字型板状金具底辺部
８  Ｌ字型板状金具上辺部
９  コの字型板状金具
１０  平ネジ
１１貫通孔
１２閂
１３閂受け又は閂通し
１４差し金又は、鉄パイプ、鉄棒
１５留め金
１６穴
１７開口部
【図１】
2009114807.tif 000003
【図２】
2009114807.tif 000004
【図３】
2009114807.tif 000005
【図４】
2009114807.tif 000006
【図５】
2009114807.tif 000007
【図６】
2009114807.tif 000008
【図７】
2009114807.tif 000009
【図８】
2009114807.tif 000010
【図９】
2009114807.tif 000011
【図１０】
2009114807.tif 000012
【図１１】
2009114807.tif 000013
【図１２】
2009114807.tif 000014
【図１３】
2009114807.tif 000015
【図１４】
2009114807.tif 000016
【図１５】
2009114807.tif 000017